(57)【要約】【目的】本発明は、馳部（馳締部）の横幅（馳幅）を簡易且つ正確に測定すること。【構成】金属屋根８の馳部８１の馳幅の正常な幅Ｌ、門形ゲージ部１と、該門形ゲージ部１の両側に配置された両ロール３，３と、該両ロール３，３と前記門形ゲージ部１とを回転支持する軸部２と、該軸部２の一端より連続部を介して設けられた細長い操作軸４とからなること。門形ゲージ部１は軸部２に対して常時垂直方向を保持するように垂設されてなること。【選択図】      図１
2012127088.tif 000002
【特許請求の範囲】
【請求項１】
金属屋根の馳部の馳幅の正常な幅に相当する間隔を有する門形ゲージ部と、該門形ゲージ部の両側に配置された両ロールと、該両ロールと前記門形ゲージ部とを回転支持する軸部と、該軸部の一端より連続部を介して設けられた細長い操作軸とからなり、前記門形ゲージ部は前記軸部に対して常時垂直方向を保持するように垂設されてなることを特徴とする金属屋根における馳部の馳幅テスター。
【請求項２】
請求項１において、前記門形ゲージ部の左右間の間隔は、上下位置での間隔をも均一としつつも、両側部の貫通孔より下方側が重くなるように構成されてなることを特徴とする金属屋根における馳部の馳幅テスター。
【請求項３】
請求項１又は２において、前記門形ゲージ部の左右間の間隔部は、許容限界寸法となるように形成してなることを特徴とする金属屋根における馳部の馳幅テスター。
【請求項４】
金属屋根の馳部の馳幅の正常な幅に相当する間隔を有する両鍔部付きの断面Ｈ形のロールゲージ部と、該ロールゲージ部の通し孔を貫通する軸部と、該軸部の一端より連続部を介して設けられた細長い操作軸とからなることを特徴とする金属屋根における馳部の馳幅テスター。
【発明の詳細な説明】
【技術分野】
【０００１】
本発明は、馳部（馳締部）の横幅（馳幅）を簡易且つ正確に測定することができる金属屋根における馳部の馳幅テスターに関する。
【背景技術】
【０００２】
従来より、馳部にて屋根板の端部相互を結合して葺成する金属屋根は数多く存在している。その葺成後の馳部は、長さが１００ｍ程度存在しても、断面として見れるのは、両端部のみであり、その途中は、平面的に外観を見れるのみである。これを目視したのみでは、施工が適正であるか、不適正ではないかの見分けは殆どできないのが現状である。その金属屋根８における馳部８１における正常な断面（適正断面）は、図５（Ａ）及び（Ｂ）に示すように、馳部８１の横幅（馳幅）Ｌが所定の値であることが前提となる。この外に、図５（Ａ）に示す通称溝幅も所定値を取ることが必要である。
【０００３】
これが、図５（Ａ）の鎖線又は図５（Ｂ）のＬ´のように、馳締加工された場合には、雨水が容易に浸入する危険性がある。ところで、公知又は特許文献１に示すノギスなどの測定ゲージにて馳部８１の横幅（馳幅）は測定できるが、スポット的な箇所のみであり、連続して測定することができなかった。
【先行技術文献】
【特許文献】
【０００４】
【特許文献１】特開２００３−３４４００３
【発明の概要】
【発明が解決しようとする課題】
【０００５】
このため、本発明が解決しようとする課題（技術的課題又は目的等）は、馳部の横幅（馳幅）Ｌ１の測定が連続的にでき、極めて能率的に測定できるものが求められている。
【課題を解決するための手段】
【０００６】
そこで、発明者は上記課題を解決すべく鋭意，研究を重ねた結果、請求項１の発明を、金属屋根の馳部の馳幅の正常な幅に相当する間隔を有する門形ゲージ部と、該門形ゲージ部の両側に配置された両ロールと、該両ロールと前記門形ゲージ部とを回転支持する軸部と、該軸部の一端より連続部を介して設けられた細長い操作軸とからなり、前記門形ゲージ部は前記軸部に対して常時垂直方向を保持するように垂設されてなることを特徴とする金属屋根における馳部の馳幅テスターとしたことにより、前記課題を解決した。
【０００７】
請求項２の発明を、請求項１において、前記門形ゲージ部の左右間の間隔は、上下位置での間隔をも均一としつつも、両側部の貫通孔より下方側が重くなるように構成されてなることを特徴とする金属屋根における馳部の馳幅テスターとしたことにより、前記課題を解決した。請求項３の発明を、請求項１又は２において、前記門形ゲージ部の左右間の間隔部は、許容限界寸法となるように形成してなることを特徴とする金属屋根における馳部の馳幅テスターとしたことにより、前記課題を解決した。
【０００８】
請求項４の発明を、金属屋根の馳部の馳幅の正常な幅に相当する間隔を有する両鍔部付きの断面Ｈ形のロールゲージ部と、該ロールゲージ部の通し孔を貫通する軸部と、該軸部の一端より連続部を介して設けられた細長い操作軸とからなることを特徴とする金属屋根における馳部の馳幅テスターとしたことにより、前記課題を解決したものである。
【発明の効果】
【０００９】
請求項１の発明においては、馳部の横幅（馳幅）の測定が連続的にでき、極めて能率的に測定でき、しかも正確な測定できる利点がある。さらに、請求項２及び３においては、請求項１と同様の効果を奏する。請求項４の発明では、特に、ロールゲージ部としたことで、このロールのみで、測定でき、極めて反端な構造にでき、安価に提供できる利点がある。
【図面の簡単な説明】
【００１０】
【図１】（Ａ）は本発明の第１実施形態において、その一部切除した斜視図、（Ｂ）は本発明の一部を切除しつつ要部を断面とした正面図、（Ｃ）は馳部の横幅（馳幅）を測定している要部拡大状態図、（Ｄ）は門形ゲージ部が揺動する状態図である。
【図２】（Ａ）は本発明の第１実施形態の変形例であって、馳部の横幅（馳幅）を測定している要部拡大状態図、（Ｂ）は（Ａ）の要部斜視図である。
【図３】（Ａ）は発明の第１実施形態の別の変形例であって、馳部の横幅（馳幅）を測定している要部拡大状態図、（Ｂ）は（Ａ）の門形ゲージ部の状態図である。
【図４】（Ａ）は本発明の第２実施形態において、馳部の横幅（馳幅）を測定している要部状態図、（Ｂ）は本発明の一部を切除した斜視図、（Ｃ）は（Ａ）の要部拡大状態図である。
【図５】（Ａ）は正常に施工した金属屋根の馳部箇所の断面図、（Ｂ）乃至（Ｄ）は正常ではなく施工した金属屋根の馳部箇所の断面図である。
【発明を実施するための形態】
【００１１】
以下、本発明の複数の実施形態について、図１乃至図３に基づいて説明する。第１実施形態としては、図１に示すように、金属屋根８の馳部８１の馳幅の正規な間隔に相当する間隔Ｗを有する門形ゲージ部１と、該門形ゲージ部１の上方側の左右側を貫通する軸部２と、該軸部２の両側に設けられた前記馳部８１の高さの２倍以上の直径を有するロール３，３と、前記軸部２の一端より、アングル状の屈曲部４ａ付きの細長い操作軸４とからなり、前記門形ゲージ部１は常時は垂直方向を保持するように設けられている。前記操作軸４は、前記屈曲部４ａと細長い棒状部４ｂと握り手４ｃとから構成されている。前記屈曲部４ａ及び細長い棒状部４ｂとを連続部と呼ぶこともある。
【００１２】
前記門形ゲージ部１の左右間の間隔Ｗは、上下位置での間隔をも均一としつつも、両側部１１，１１の下方側が重くなるように構成されている。具体的には、図１（Ｄ）に示すように、該両側部１１，１１の下側が幅広部１１ａ，１１ａとして形成されている。また、前記門形ゲージ部１の挿通孔１１ｂ，１１ｂが前記両側部１１，１１の上方側に形成され、自然の重さで下方側が重くなって常時垂下状態を保持しているならば、実施形態に制限されない。
【００１３】
前記門形ゲージ部１の両側部１１，１１の内側面の間隔Ｗは、許容限界寸法（正常寸法）となるように形成されている。前記馳部８１の横幅（馳幅）が正常である場合はＬである。正常でない場合Ｌ´は、許容限界寸法（正常寸法）Ｗよりも大きい場合である。この場合には、門形ゲージ部１の両側部１１，１１は、垂下状態を保持できずに略水平状態になるか水平状態に近づく。
【００１４】
次に、第１実施形態の馳幅テスターの馳幅測定方法について説明する。つまり、馳幅検査のフローについて説明する。馳部８１の馳幅を測定するのに、図１（Ｂ）及び（Ｃ）に示すように、金属屋根８の山部の両肩部８２，８２上に本発明の両ロール３，３を載置しつつ、馳部８１を前記門形ゲージ部１で跨ぐようにセットし、この状態で、操作軸４の握り手４ｃを持ちながら転がす。このような状態下では、正常な馳部８１であるならば、門形ゲージ部１の間隔Ｗは許容限界寸法（正常寸法）となっており、前記門形ゲージ部１は図１（Ｄ）に示すように、垂下状態（実線）を保持しており、馳部８１の馳幅は、合格寸法Ｌとなっている〔図２（Ａ）及び（Ｂ）参照〕。
【００１５】
そして、馳部８１の馳幅が、正常ではない場合（Ｌ´）には、広がりを生じ、跨ぐようにした門形ゲージ部１が図２（Ｃ）及び（Ｄ）に示すように、馳部８１の両側に当たって水平状態となるか或いは門形ゲージ部１の両側部１１，１１が馳部８１の両側に当たって動かなくなることになる。このような場合には、その箇所を正常ではない馳部８１として、ハサミ部、接着テープ、ペンキ塗りなどマーキングして、後に、その箇所を補修して、合格寸法Ｌとなるような馳幅の馳部８１にする必要がある。該馳部８１の背部基準線８１ａが屈曲側基準線８１ｂまでの水平方向の正常の間隔をＬとする〔図５(Ａ)，（Ｃ）及び（Ｄ）参照〕。
【００１６】
第２実施形態としては、図４に示すように、金属屋根８の馳部８１の馳幅の正規な幅Ｌに相当する間隔Ｗを有するロールゲージ部６と、該ロールゲージ部６を貫通する軸部２と、前記アングル状の屈曲部４ａ，棒状部４ｂ及び握り手４ｃからなる細長い操作軸４とから構成されている。前記軸部２及び操作軸４は、第１実施形態と同一であり、その説明を省略する。
【００１７】
前記ロールゲージ部６は、中間ロール部６１と、該中間ロール部６１の両端に鍔部６２，６２が一体形成され、該鍔部６２，６２及び中間ロール部６１を貫通する通し孔６３が設けられている。特に、前記鍔部６２，６２の対向する間隔部Ｗが、前記金属屋根８の馳部８１の馳幅の正規な幅Ｌに相当するように構成されている。
【００１８】
次に、第２実施形態の馳幅テスターの馳幅測定方法について説明する。つまり、馳幅検査のフローについて説明する。図４（Ａ）及び（Ｃ）に示すように、金属屋根８の馳部８１の上に、直接に前記ロールゲージ部６を載せる。つまり、馳部８１の上に、前記ロールゲージ部６の中間ロール部６１が載り、前記馳部８１の幅の左右側に前記鍔部６２，６２が位置するようにセットする。その後は、第１実施形態の馳幅テスターの操作と同様に、操作軸４の握り手４ｃを持ちながら転がして測定する。
【００１９】
すると、正常な馳部８１であるならば、ロールゲージ部６の両鍔部６２，６２の間隔Ｗは許容限界寸法（正常寸法）となっており、前記馳部８１の馳幅は、合格寸法Ｌとなっている〔図４（Ａ）及び（Ｃ）参照〕ときには、前記ロールゲージ部６は回転してゆき、測定作業ができる。また、馳部８１の馳幅が、正常ではない場合（Ｌ´）には、広がりを生じて、前記ロールゲージ部６の両鍔部６２，６２が、馳部８１の両側に当たって動かなくなることになる。このような場合には、前述したのと同様に、正常ではない馳部８１として、ハサミ部、接着テープ、ペンキ塗りなどマーキングして、後に、その箇所を補修する必要がある。
【符号の説明】
【００２０】
１…門形ゲージ部、２…軸部、３…ロール、４…操作軸、６…ロールゲージ部、
８…金属屋根、８１…馳部、１１…側部、１１ａ…貫通孔、Ｌ…正常幅、
Ｌ´…正常でない幅、Ｗ…許容限界寸法（正常寸法）。
【図１】
2012127088.tif 000003
【図２】
2012127088.tif 000004
【図３】
2012127088.tif 000005
【図４】
2012127088.tif 000006
【図５】
2012127088.tif 000007